(57)【要約】【課題】ラジオ放送の音声情報を利用して、天気図を自動的に作成することが可能な電子機器を提供する。【解決手段】放送受信部１４は、タイマ２３からの信号によりラジオ放送の気象通報を受信する。受信した音声信号はデジタルデータに変換され、無音部のノイズが除去される。音声照合特定部１７はノイズが除去された音声データを単語に分割し、音声モデル記録部１２２の音声データと比較照合し、音声の特徴が最も類似する単語のテキストを特定する。気象情報抽出部１８は、特定された単語のテキストから、気象情報のテキストを抽出する。気象情報抽出部１８は、抽出したテキストを気象データとして気象データ記録部１２３に記録する。天気図作成部１９は、気象データ記録部１２３から気象データを読み出し、天気図を作成する。表示部２０は、作成した天気図を表示する。【選択図】図１
2011090160.tif 000002
【特許請求の範囲】
【請求項１】
音声データを受け付けるデータ受付手段と、
複数の単語の音声データ及び該音声データに対応するテキストを予め記録した辞書と、
前記データ受付手段により受け付けた音声データを、前記辞書に記録されている音声データと照合し、最も類似度の高い音声データに対応するテキストを特定するテキスト特定手段と
を備える電子機器において、
放送を受信する放送受信部
を備え、
前記データ受付手段は、
前記放送受信部により受信された放送に基づく音声データを受け付けるようにしてあり、
前記テキスト特定手段により特定されたテキストに基づいて天気図を作成する天気図作成手段と、
該天気図作成手段により作成された天気図を表示する表示手段と
を備える
ことを特徴とする電子機器。
【請求項２】
特定地点を識別できる地図が記録された地図記録手段と、
前記テキスト特定手段により特定されたテキストから、前記特定地点の地名並びに気圧及び他の気象観測値のテキストを抽出する抽出手段と、
該抽出手段により抽出されたテキストに基づいて、気圧データを含む所定形式の気象データを作成するデータ作成手段と
を備え、
前記天気図作成手段は、
前記データ作成手段により作成された気象データを、前記地図記録手段から読み出した地図に記載する手段と、
前記データ作成手段により作成された気象データに含まれる気圧データに基づいて、等圧線を前記地図記録手段から読み出した地図に描く手段と
を有する
ことを特徴とする請求項１に記載の電子機器。
【請求項３】
前記データ作成手段により作成された気象データを記録するデータ記録手段
を備え、
前記天気図作成手段は、
前記データ記録手段により記録された気象データに基づいて天気図を作成するようにしてある
ことを特徴とする請求項２に記載の電子機器。
【請求項４】
前記天気図作成手段により作成された天気図を記録する天気図記録手段と、
該天気図記録手段により記録された天気図又は前記データ記録手段により記録された気象データを送信する手段と
を備える
ことを特徴とする請求項３に記載の電子機器。
【請求項５】
前記表示手段は、
前記天気図記録手段により記録された天気図を表示するようにしてある
ことを特徴とする請求項４に記載の電子機器。
【請求項６】
登山地図を記録した登山地図記録手段と、
位置を検出する位置検出手段と
を備え、
前記表示手段は、
前記天気図記録手段により記録された天気図に、前記登山地図記録手段により記録された登山地図及び前記位置検出手段により検出された位置を重ねて表示するようにしてある
ことを特徴とする請求項４又は請求項５に記載の電子機器。
【請求項７】
ラジオ気象番組の放送開始時刻が設定された計時部
を備え、
前記放送受信部は、
前記計時部がラジオ気象番組の放送開始時刻を計時した場合、該ラジオ気象番組の受信を開始するようにしてある
ことを特徴とする請求項１から請求項６までのいずれか一項に記載の電子機器。
【発明の詳細な説明】
【技術分野】
【０００１】
本発明は、放送を利用した、天気図作成可能な電子機器に関する。
【背景技術】
【０００２】
登山の遭難事故には、気象情報を正確に認識することができれば、未然に防止できる事故が多い。携帯電話機の電波が届く山岳地域の場合、携帯電話機により気象情報の入手は容易である。しかし、稜線から少し下った場所、谷間等には、携帯電話機の電波は届かない。もっともこのような場所でも、ＡＭラジオ電波は届くため、ＡＭラジオ放送の気象通報の音声情報から、音声認識技術を用いて天気図を作成する機器があれば便利であるが、従来そのような機器は存在しない。
【０００３】
特許文献１には、単語の使用頻度に基づいて辞書の単語を増減することができる音声認識装置が開示されている。特許文献１の音声認識装置は、カーナビゲーションを対象としたものであり、使用頻度の低い単語を辞書から削除すると共に、削除した単語の使用頻度が増大した場合にはその削除した単語を再び辞書に登録する。
【先行技術文献】
【特許文献】
【０００４】
【特許文献１】特開２００７−３１０１３７号公報
【発明の概要】
【発明が解決しようとする課題】
【０００５】
しかしながら、気象通報の音声情報に含まれる単語は気象用語に限定されるため、気象通報の音声情報を認識する上で、特許文献１の音声認識装置のように辞書の単語を増減する必要がない。そもそも、特許文献１の音声認識装置は、天気図を作成することができない。
【０００６】
本発明は、斯かる事情に鑑みてなされたものであり、放送に基づく音声データを利用して、天気図を自動的に作成することが可能な電子機器を提供することを目的とする。
【課題を解決するための手段】
【０００７】
本発明に係る電子機器は、音声データを受け付けるデータ受付手段と、複数の単語の音声データ及び該音声データに対応するテキストを予め記録した辞書と、前記データ受付手段により受け付けた音声データを、前記辞書に記録されている音声データと照合し、最も類似度の高い音声データに対応するテキストを特定するテキスト特定手段とを備える電子機器において、放送を受信する放送受信部を備え、前記データ受付手段は、前記放送受信部により受信された放送に基づく音声データを受け付けるようにしてあり、前記テキスト特定手段により特定されたテキストに基づいて天気図を作成する天気図作成手段と、該天気図作成手段により作成された天気図を表示する表示手段とを備えることを特徴とする。
【０００８】
本発明に係る電子機器は、特定地点を識別できる地図が記録された地図記録手段と、前記テキスト特定手段により特定されたテキストから、前記特定地点の地名並びに気圧及び他の気象観測値のテキストを抽出する抽出手段と、該抽出手段により抽出されたテキストに基づいて、気圧データを含む所定形式の気象データを作成するデータ作成手段とを備え、前記天気図作成手段は、前記データ作成手段により作成された気象データを、前記地図記録手段から読み出した地図に記載する手段と、前記データ作成手段により作成された気象データに含まれる気圧データに基づいて、等圧線を前記地図記録手段から読み出した地図に描く手段とを有することを特徴とする。
【０００９】
本発明に係る電子機器は、前記データ作成手段により作成された気象データを記録するデータ記録手段を備え、前記天気図作成手段は、前記データ記録手段により記録された気象データに基づいて天気図を作成するようにしてあることを特徴とする。
【００１０】
本発明に係る電子機器は、前記天気図作成手段により作成された天気図を記録する天気図記録手段と、該天気図記録手段により記録された天気図又は前記データ記録手段により記録された気象データを送信する手段とを備えることを特徴とする。
【００１１】
本発明に係る電子機器は、前記表示手段は、前記天気図記録手段により記録された天気図を表示するようにしてあることを特徴とする。
【００１２】
本発明に係る電子機器は、登山地図を記録した登山地図記録手段と、位置を検出する位置検出手段とを備え、前記表示手段は、前記天気図記録手段により記録された天気図に、前記登山地図記録手段により記録された登山地図及び前記位置検出手段により検出された位置を重ねて表示するようにしてあることを特徴とする。
【００１３】
本発明に係る電子機器は、ラジオ気象番組の放送開始時刻が設定された計時部を備え、前記放送受信部は、前記計時部がラジオ気象番組の放送開始時刻を計時した場合、該ラジオ気象番組の受信を開始するようにしてあることを特徴とする。
【００１４】
本発明の電子機器にあっては、音声データを受け付けるデータ受付手段及び放送を受信する放送受信部を備えている。テキスト特定手段は、放送受信部により受信された放送に基づいてデータ受付手段が受け付けた音声データを辞書に記録されている音声データと照合し、最も類似度の高い音声データに対応するテキストを特定する。テキスト特定手段により特定されたテキストに基づいて天気図が作成され、作成された天気図は表示される。
【００１５】
本発明の電子機器にあっては、地図記録手段は特定地点を識別できる地図を記録している。テキスト特定手段により特定されたテキストから、特定地点の地名並びに気圧及び他の気象観測値のテキストが抽出される。データ作成手段は、抽出されたテキストに基づいて、気圧データを含む所定形式の気象データを作成する。データ作成手段により作成された気象データは、地図記録手段から読み出した地図に記載される。データ作成手段により作成された気象データに含まれる気圧データに基づいて、等圧線が地図記録手段から読み出した地図に描かれる。
【００１６】
本発明の電子機器にあっては、データ作成手段が作成した所定形式の気象データを記録するデータ記録手段を備えている。データ記録手段が記録した所定形式の気象データに基づいて、天気図が作成される。
【００１７】
本発明の電子機器にあっては、作成した天気図を記録する天気図記録手段を備えている。天気図記録手段が記録した天気図又はデータ記録手段が記録した所定形式の気象データは、外部へ送信される。
【００１８】
本発明の電子機器にあっては、天気図記録手段により記録された天気図が表示される。
【００１９】
本発明の電子機器にあっては、登山地図を記録した登山地図記録手段及び位置を検出する位置検出手段を備えている。天気図記録手段により記録された天気図、登山地図記録手段により記録された登山地図及び位置検出手段により検出された位置は、重ねて表示される。
【００２０】
本発明の電子機器にあっては、ラジオ気象番組の放送開始時刻が設定された計時部を備えている。計時部がラジオ気象番組の放送開始時刻を計時した場合、放送受信部はラジオ気象番組の受信を開始する。
【発明の効果】
【００２１】
本発明にあっては、放送に基づく音声データを利用して、天気図を自動的に作成することができる。
【図面の簡単な説明】
【００２２】
【図１】実施の形態１に係る電子機器の構成を示すブロック図である。
【図２】気象データ記録部の内容を例示する説明図である。
【図３】テンプレート記録部の地図を例示する説明図である。
【図４】気象通報で読み上げられる単語を音声モデル記録部に記録する処理の手順を示すフローチャートである。
【図５】天気図の表示例の説明図である。
【図６】放送受信から天気図表示までの処理の手順を示すフローチャートである。
【図７】気温の時系列変化を例示する説明図である。
【図８】実施の形態２に係る電子機器の構成を示すブロック図である。
【発明を実施するための形態】
【００２３】
以下、本発明を実施の形態を示す図面に基づいて説明する。
実施の形態１
図１は、実施の形態１に係る電子機器１の構成を示すブロック図である。
実施の形態１に係る電子機器１は、制御部１１、記録部１２、ＲＡＭ（Random Access Memory）１３、放送受信部１４、Ａ／Ｄ変換部１５、ノイズ除去部１６、音声照合特定部１７、気象情報抽出部１８、天気図作成部１９、表示部２０、操作部２１、通信部２２、タイマ２３及び図示しない電源を含んで構成される。実施の形態１のＡ／Ｄ変換部１５、及びノイズ除去部１６は、全体でデータ受付手段に該当する。
実施の形態１に係る電子機器１は、好適には登山時に携帯可能な携帯型である。
【００２４】
制御部１１は、電子機器１の各構成部を制御する。記録部１２は、フラッシュメモリ、ＥＰＲＯＭ（Erasable Programmable Read Only Memory）等の不揮発性メモリであり、制御部１１が実行するプログラム及び使用するデータを記録している。制御部１１は、記録部１２からプログラムを読み出し、さらに作業用の情報をＲＡＭ１３との間で出し入れすることにより、各種処理を実行する。ＲＡＭ１３は、制御部１１以外の構成部が使用する作業用の情報も一時的に記録する。
【００２５】
記録部１２は、音声データ記録部１２１、音声モデル記録部１２２、気象データ記録部１２３、テンプレート記録部１２４、天気図記録部１２５を含んで構成される。記録部１２には、音声データ記録部１２１等とは別に、適宜必要に応じて様々な情報を記録することができる記録領域が確保されている。記録部１２には、気象通報で放送される各地の天気の地名とその緯度、経度とが対応付けて記録されている。
【００２６】
放送受信部１４は、ＡＭアンテナとＡＭチューナとから構成され、気象通報の放送時刻になった場合、タイマ２３の計時を受け付ける制御部１１の制御の下、ＮＨＫ（登録商標）第２放送の気象通報を受信する。放送受信部１４は、受信した音声信号をＡ／Ｄ変換部１５へ出力する。
なお、放送受信部１４は、ＡＭ放送の受信に限らず、短波放送を受信する構成部であってもよい。気象通報は、短波でも放送されているからである。
【００２７】
Ａ／Ｄ変換部１５は、放送受信部１４が受信した音声信号を受け付けて、受け付けた音声信号をデジタルの音声データに変換し、変換した音声データをノイズ除去部１６へ出力する。
ノイズ除去部１６は、Ａ／Ｄ変換部１５から音声データを受け付け、音声データの無音部に含まれるノイズを除去する。ノイズ除去部１６は、ノイズが除去された音声データを音声データ記録部１２１に記録する。
【００２８】
音声データ記録部１２１は、Ａ／Ｄ変換部１５によりデジタルデータに変換され、ノイズ除去部１６によりノイズが除去された気象通報の音声データを記録する。
音声モデル記録部１２２は、音声認識技術の辞書に該当し、気象通報で読み上げられる風向、風力、天気等の気象用語、各観測地の地名等を記録している。また、音声モデル記録部１２２は、助詞、助動詞、動詞等の一般的な単語も記録している。
【００２９】
音声照合特定部１７は、音声データ記録部１２１から音声データを読み出し、読み出した音声データを単語に分割する。また、音声照合特定部１７は、音声モデル記録部１２２の音声データを読み出す。音声照合特定部１７は、単語に分割された気象通報の音声データと音声モデル記録部１２２の音声データとを比較照合し、気象通報の音声データの単語と同じ特徴を持つ音声モデル記録部１２２の単語をテキストとして特定する。音声照合特定部１７は、特定した単語のテキストを気象情報抽出部１８へ出力する。
【００３０】
気象情報抽出部１８は、音声照合特定部１７が特定した単語のテキストを受け付け、整理して、受け付けたテキストから気象情報のテキストを抽出する。気象情報抽出部１８は、抽出したテキストを気象データとして気象データ記録部１２３に記録する。
図２は、気象データ記録部１２３の内容を例示する説明図である。気象データ記録部１２３は、各地の天気１２３ａ、海洋ブイ、船舶の報告１２３ｂ、高気圧、低気圧の情報１２３ｃ、前線の情報１２３ｄを含んで構成される。
【００３１】
各地の天気１２３ａは、観測点ごとに、地名、風向、風力、天気、気圧、気温を対応付けて記録する。地名は、石垣島、那覇等の観測点の地名である。風向は、風の吹いてくる方向であり、１６方位により示される。風力は、ビューフォート風力階級を元にして、数値で示される。天気は、快晴、晴れ等の天気種類である。気圧は、ヘクトパスカル単位で示される数値である。気温は、摂氏温度で示される数値である。
海洋ブイ、船舶の報告１２３ｂは、海洋ブイ、船舶の位置、気象観測値を対応付けて記録する。海洋ブイ、船舶の位置は、緯度、経度の数値で示される。海洋ブイ、船舶の報告１２３ｂの気象観測値は、気温を欠くこと以外、各地の天気１２３ａの気象観測値と同じである。
高気圧、低気圧の情報１２３ｃは、高気圧と低気圧との区別、位置、中心気圧、進行方向、進行速度を対応付けて記録する。高気圧、低気圧の位置は、緯度、経度の数値で示される。中心気圧は、ヘクトパスカル単位で示される数値である。進行方向は、高気圧、低気圧が進む方向であり、１６方位により示される。進行速度はｋｍ／時を単位とする数値である。
前線の情報１２３ｄは、寒冷前線、温暖前線等の前線の種類及び前線の位置を対応付けて記録する。前線の位置は、緯度、経度の数値で示すものであり、図２では２点の緯度、経度が例示されている。しかし、前線の情報１２３ｄは、３点以上の前線の位置も記録することができる。
【００３２】
図３は、テンプレート記録部１２４の地図を例示する説明図である。
テンプレート記録部１２４は、気象データ記録部１２３に記録された気象データを記載する日本列島周辺の地図を記録している。この日本列島周辺の地図には、各地の天気１２３ａの観測地が予め描かれている。なお、この日本列島周辺の地図には、主な日本列島の山脈が示されていてもよい。
テンプレート記録部１２４の日本列島周辺の地図上での位置は、緯度、経度によって特定される。気象通報で放送される各地の天気１２３ａの観測地については、地名とその緯度、経度とが対応付けて記録部１２に記録されている。そのため、各地の天気１２３ａの観測地の地名が判明すれば、各地の天気１２３ａの観測地をテンプレート記録部１２４の日本列島周辺の地図上でも特定することができる。記録部１２には、天気記号、風向、風力、前線の記号も、これらのテキストと対応付けて記録されている。そのため、天気、風向、風力、前線のテキストは、記号に変換してテンプレート記録部１２４の日本列島周辺の地図上に記載することができる。
【００３３】
天気図作成部１９は、気象データ記録部１２３に記録された気象データと、テンプレート記録部１２４に記録された日本列島周辺の地図とを読み出す。天気図作成部１９は、テンプレート記録部１２４に記録された日本列島周辺の地図に、気象データ記録部１２３に記録された気象データを記載して天気図を完成させる。天気図作成部１９は、この天気図に気圧の等しい線を結んだ等圧線も描く。ただし、気温は天気図に記載されない。
天気図記録部１２５は、天気図作成部１９が作成した天気図を記録する記録手段である。天気図作成部１９は、作成した天気図を天気図記録部１２５に記録する。
【００３４】
表示部２０は、例えば４インチから５インチ程度の液晶ディスプレイである。制御部１１は、天気図記録部１２５に記録された天気図を読み出し、表示部２０に表示する。表示部２０の消費電力は、例えば１Ｗ程度である。なお、表示部２０は、プラズマディスプレイ、有機ＥＬ（Electroluminescence）ディスプレイ又はＳＥＤ（Surface-conduction Electron-emitter Display）等であってもよい。
【００３５】
操作部２１は、実施の形態１の電子機器１を操作するためのボタン群である。なお、操作部２１は、表示部２０に組み込まれたタッチパネルであってもよい。
通信部２２は、記録部１２に記録する情報を、実施の形態１の電子機器１と同じ他の電子機器１、又はパーソナルコンピュータ等、他の情報機器との間で送受信する無線通信機能及び有線通信機能を有する。また、通信部２２は、ＬＡＮ（Local Area Network）、インターネット等との接続機能を有する。さらに、通信部２２はテレビ映像信号を出力する端子等を備えている。
タイマ２３は、基準クロック信号に基づいて動作し、所定の信号及び現在時刻を制御部１１へ送信する。
【００３６】
次に、実施の形態１に係る電子機器１の動作について説明する。
まず、電子機器１を動作させる準備として、予め気象通報で読み上げられる単語の音声データ及びテキストを音声モデル記録部１２２に記録しておく。これらの単語は、例えば地名、風向、風力、天気、気圧、北緯、東経等の単語である。音声モデル記録部１２２には、気象通報で読み上げられる一般的な助詞、助動詞、動詞等も記録しておく。
また、テンプレート記録部１２４に日本列島付近の地図を記録しておく。さらに、記録部１２の空き領域及びタイマ２３に、気象通報の放送時刻（例えば、午前９時１０分、午後４時、午後１０時）を記録しておく。
【００３７】
気象通報で読み上げられる単語を音声モデル記録部１２２に記録する作業は自動化してもよい。そのためには、Ａ／Ｄ変換ソフト、音声認識ソフトがインストールされたパーソナルコンピュータを用意する。また、このパーソナルコンピュータにラジオ及び電子機器１を接続する。
図４は、気象通報で読み上げられる単語を音声モデル記録部１２２に記録する処理の手順を示すフローチャートである。
ラジオは、気象通報の放送を受信する（ステップＳ４１）。パーソナルコンピュータは、ラジオが受信した音声信号をＡ／Ｄ変換して、デジタルの音声データを生成する（ステップＳ４２）。パーソナルコンピュータは、生成した音声データについて、無音部のノイズを除去する（ステップＳ４３）。パーソナルコンピュータは、音声データを単語に分割する（ステップＳ４４）。パーソナルコンピュータは、分割した単語のテキストを生成する（ステップＳ４５）。パーソナルコンピュータは、分割した単語の音声データ及びテキストを対応付けて、音声モデル記録部１２２に記録し（ステップＳ４６）、処理を終える。
【００３８】
制御部１１は、記録部１２から気象通報の放送時刻を読み出し、タイマ２３から現在時刻として気象通報の放送時刻に該当する信号を受信した場合、放送受信部１４に気象通報の受信を開始させる。
あるいは、気象通報の放送時刻が記録されているタイマ２３は、気象通報の放送時刻に所定の信号を制御部１１に送信する。所定の信号をタイマ２３から受信した制御部１１は、放送受信部１４に気象通報の受信を開始させる。
なお、手動で放送受信部１４に気象通報の受信を開始させることも可能であり、その場合には、タイマ２３は不要である。
【００３９】
放送受信部１４は、気象通報の放送を受信し、受信した音声信号をＡ／Ｄ変換部１５へ出力する。
Ａ／Ｄ変換部１５は、放送受信部１４から音声信号を受け付け、受け付けた音声信号をデジタルの音声データに変換する。Ａ／Ｄ変換部１５は、デジタルに変換した音声データをノイズ除去部１６へ出力する。
ノイズ除去部１６は、Ａ／Ｄ変換部１５から音声データを受け付け、受け付けた音声データの無音部のノイズを除去する。ノイズ除去部１６は、ノイズが除去された音声データを音声データ記録部１２１に記録する。
【００４０】
音声照合特定部１７は、音声データ記録部１２１からノイズが除去された気象通報の音声データをＲＡＭ１３に読み出す。また、音声照合特定部１７は、音声モデル記録部１２２から単語の音声データをＲＡＭ１３に読み出す。音声照合特定部１７は、気象通報の音声データを単語に分割し、音声モデル記録部１２２の音声データと比較照合する。音声照合特定部１７は、比較照合の結果、音声の特徴が最も類似する単語のテキストを特定し、特定したテキストを気象情報抽出部１８へ出力する。
なお、気象通報の音声データと音声データ記録部１２１の音声データとの照合は、テキスト同士の照合とする形態でもよい。まず、気象通報の音声データをテキストに変換し、単語のテキストに分割する。分割した単語のテキストを音声データ記録部１２１の単語のテキストと照合するのである。
【００４１】
気象情報抽出部１８は、音声照合特定部１７が特定した単語のテキストを受け付け、整理し、気象データ記録部１２３に記録するためのテキストを抽出する。例えば、各地の天気の場合、通常「石垣島では、東北東の風、風力３、曇り、１０２４ヘクトパスカル、２０度」と読み上げられるので、気象情報抽出部１８は観測地の地名、風向、風力、天気、気圧、気温の順に各テキストを抽出する。しかし、順序だけでなく、気象情報抽出部１８は、「では」、「の風」、「風力」、「ヘクトパスカル」、「度」の語彙又は単語から各テキストが観測地の地名、風向、風力、気圧、気温を示していることを判別する。そのため、仮に気象情報を読み上げる順序が変更されても、気象データ記録部１２３に記録する正しいテキストが抽出される。なお、「では」、「の風」、「風力」、「ヘクトパスカル」、「度」の語彙又は単語は、音声モデル記録部１２２に記録されている。
【００４２】
気象情報抽出部１８は、抽出した気象観測値等のテキストを気象データとして、観測日時と対応付けて時系列に気象データ記録部１２３に記録する。
また、気象情報抽出部１８は、各地の天気の場合、観測地の地名、風向、風力、天気、気圧、気温の組み合わせが、１レコードであることを認識する。そのため、ある観測地の気象データが他の観測地の気象データとして、誤って記録されることはない。
【００４３】
天気図作成部１９は、気象データ記録部１２３から気象データをＲＡＭ１３に読み出す。天気図作成部１９は、テンプレート記録部１２４から日本列島周辺の地図をＲＡＭ１３に読み出す。天気図作成部１９は、記録部１２から各地の天気１２３ａの地名及びその緯度、経度をＲＡＭ１３に読み出す。天気図作成部１９は、記録部１２から天気、風向、風力、前線の記号をＲＡＭ１３に読み出す。
天気図作成部１９は、各地の天気、風向、風力、気圧を読み出した地図に記載する。このとき、天気図作成部１９は、天気、風向、風力を記号に変換して、地図に記載する。同様に、天気図作成部１９は、海洋ブイ、船舶の報告１２３ｂの情報を読み出した地図に記載する。
また、天気図作成部１９は、高気圧、低気圧の情報１２３ｃ、前線の情報１２３ｄに基づいて、低気圧、高気圧、前線を読み出した地図に描く。このとき、前線は記号に変換される。さらに、天気図作成部１９は、気圧の分布に従って等圧線を描く。天気図作成部１９は、完成した天気図を天気図記録部１２５に記録する。
【００４４】
天気図記録部１２５に完成した天気図が記録された場合、制御部１１は、天気図記録部１２５からこの天気図を読み出し、表示部２０に表示する。あるいは、制御部１１は、天気図記録部１２５を介さずに、天気図作成部１９が作成した天気図を直接、表示部２０に表示する。
図５は、天気図の表示例の説明図である。各地の風向、風速、等圧線、高気圧、低気圧が天気図に描かれている。図５の天気図の場合、日本列島は東方から高気圧に覆われており、しばらく好天の継続することが予想される。
【００４５】
図６は、放送受信から天気図表示までの処理の手順を示すフローチャートである。
制御部１１は、気象通報の放送時刻か否か判断する（ステップＳ６０１）。なお、ステップＳ６０１は、制御部１１がタイマ２３から気象通報の放送時刻である旨の信号を受信したか否か判断する処理でもよい。制御部１１は、気象通報の放送時刻ではないと判断した場合（ステップＳ６０１：ＮＯ）、ステップＳ６０１へ処理を戻す。制御部１１は、気象通報の放送時刻であると判断した場合（ステップＳ６０１：ＹＥＳ）、気象通報の受信を開始する（ステップＳ６０２）。制御部１１は、受信した音声信号をデジタルの音声データに変換する（ステップＳ６０３）。制御部１１は、デジタルに変換した音声データの無音部のノイズを除去する（ステップＳ６０４）。ステップＳ６０３及びステップＳ６０４は、実施の形態１に係る電子機器が音声データを受け付けるデータ受付処理に該当する。制御部１１は、ノイズが除去された気象通報の音声データを音声データ記録部１２１に記録する（ステップＳ６０５）。
【００４６】
制御部１１は、気象通報の音声データを単語に分割し、音声モデル記録部１２２の音声データと比較照合する（ステップＳ６０６）。制御部１１は、音声の特徴が最も類似する単語のテキストを特定する（ステップＳ６０７）。制御部１１は、特定した単語のテキストを整理し、整理したテキストから各地の天気１２３ａ、海洋ブイ、船舶の報告１２３ｂ、高気圧、低気圧の情報１２３ｃ及び前線の情報１２３ｄの各気象情報を抽出する（ステップＳ６０８）。制御部１１は、抽出した各気象情報を気象データとして気象データ記録部１２３に記録する（ステップＳ６０９）。制御部１１は、気象データ記録部１２３に記録した気象データ及びテンプレート記録部１２４から読み出した地図に基づいて天気図を作成する（ステップＳ６１０）。制御部１１は、作成した天気図を天気図記録部１２５に記録する（ステップＳ６１１）。制御部１１は、作成した天気図を表示部２０に表示し（ステップＳ６１２）、処理を終える。
【００４７】
制御部１１は、電子機器１の電源の省電を図るべく、稼働していない構成部への給電を停止する。
気象通報の受信から、その音声データを音声データ記録部１２１に記録するまでの処理では、制御部１１は記録部１２、ＲＡＭ１３、放送受信部１４、タイマ２３、Ａ／Ｄ変換部１５、ノイズ除去部１６以外の構成部への給電を停止する。
音声データの照合から気象通報の情報をテキストとして気象データ記録部１２３に記録するまでの処理では、制御部１１は記録部１２、ＲＡＭ１３、タイマ２３、音声照合特定部１７、気象情報抽出部１８以外の構成部への給電を停止する。
天気図を作成して、天気図記録部１２５に記録するまでの処理では、制御部１１は記録部１２、ＲＡＭ１３、タイマ２３、天気図作成部１９以外の構成部への給電を停止する。
天気図を表示部２０に表示させる処理では、制御部１１は記録部１２、ＲＡＭ１３、タイマ２３、表示部２０以外の構成部への給電を停止する。
【００４８】
操作部２１の操作により、表示部２０に表示される天気図のズーム倍率は変更される。これにより、天気図の倍率を上げて、自分がいる山付近の天気図を的確に見ることができる。
また、操作部２１の操作により、天気図記録部１２５に記録した過去の天気図が表示部２０に表示される。例えば、直近の２〜３日分程度の天気図を時系列に従って、パラパラ漫画又はスライドショーのように表示する。これにより、ユーザは過去の天気図から１〜２日後の天気を予想することができる。なお、実施の形態１の電子機器１は、天気図記録部１２５の記録容量に空きがある限り、２〜３日よりも過去の天気図を記録、表示することが可能である。
【００４９】
実施の形態１の電子機器１は、天気図以外に、気象データ記録部１２３に記録された各種の気象データを時系列に従って、表示部２０に表示する。図７は、気温の時系列変化を例示する説明図である。表示部２０に表示された天気図上で特定の観測点の位置をペンで押下する操作、あるいは操作部２１のボタン操作により、特定の観測点を指定して、図７のように、風向、風力、天気、気圧、気温の時系列変化が表又はグラフとして表示される。図７（ａ）は気温の時系列変化を表形式で、図７（ｂ）は気温の時系列変化をグラフで示した例である。
【００５０】
実施の形態１の電子機器１は、通信部２２を介して、記録部１２の情報を他の情報機器との間で送受信する。例えば、これから山に登る人と下山する人とが登山道で出会った場合、下山する人の電子機器１からこれから山に登る人の電子機器１へ、音声データ記録部１２１、気象データ記録部１２３、天気図記録部１２５に夫々記録されている音声データ、気象データ、天気図を無線転送する。逆に、これから山に登る人の電子機器１から下山する人の電子機器１へ、音声データ、気象データ、天気図を無線転送する。ユーザは、操作部２１の操作により無線転送するデータの種類を選択して、これらのデータを無線転送することができる。これにより、ユーザは気象情報の共有化を図ることができる。また、記録部１２に記録するデータを外部から取り込むことにより、登山時に放送される気象通報のすべてを受信し、天気図を作成する必要がなくなり、電源の節約にも資する。
【００５１】
実施の形態１の電子機器１は、通信部２２を介して、記録部１２の情報を、パーソナルコンピュータに転送する。これにより、電子機器１が作成した天気図をパーソナルコンピュータのディスプレイに表示することができる。
【００５２】
制御部１１は、天気図記録部１２５から天気図を読み出し、テレビの映像信号に変換し、通信部２２に出力する。これにより、実施の形態１の電子機器１は、通信部２２を介して、天気図記録部１２５に記録された天気図をテレビに表示することができる。
【００５３】
実施の形態１の電子機器１によれば、ＮＨＫラジオ第２放送の気象通報の音声信号をデジタルの音声データに変換し、変換した音声データから音声認識技術を用いて、気象情報のテキストを抽出することができる。また、実施の形態１の電子機器１は、抽出した気象情報のテキストに基づいて、天気図を自動的に作成することができる。
ＮＨＫラジオ第２放送の放送エリアは、ほぼ日本列島全域に及び、ほとんどの地域で気象通報を受信することができる。そのため、基地局がないために携帯電話機の電波が届かない山間部であっても、実施の形態１の電子機器１の表示部２０に天気図を自動的に表示させることにより、安全な登山計画を立てる材料とすることができる。登山の遭難事故の多くは気象情報を入手できれば未然に防止できるため、一目で天気状況が把握できる天気図の作成機能を有する電子機器１は、登山者にとって有用な装置である。
音声認識のための辞書は、カーナビゲーション装置に搭載される辞書の場合、新規の単語や未使用の単語に対応するため、頻繁に更新する必要がある。しかし、気象通報で読み上げられる単語は気象に関する単語に限定される。そのため、実施の形態１に係る電子機器１に搭載される音声モデル記録部１２２の辞書の場合、単語の新たな追加や廃止は不要となり、更新処理が発生しないという利点がある。
【００５４】
実施の形態１の電子機器では、天気図だけを表示する。しかし、気象通報の気象データが観測された時間（気象通報の放送時刻の約４時間前）に撮像した映像を、作成した天気図と対応づけて保存し、後に天気図と映像とを交互にあるいは同時に、見ることができる形態であってもよい。そのためには、実施の形態１の電子機器にデジタルカメラの機能を付加し、撮像日時と共に撮像データを記録部に記録する。制御部は映像の撮像日時と天気図の元となった気象通報の放送日時とから天気図に対応する映像を抽出して表示部に表示する。
これにより、気象通報の気象データが観測された時間に登山道等から撮像した空の映像と、撮像時間の天気図とを交互にあるいは同時に見ることができ、山の天気を登山の楽しみの一つに加えることができる。また、撮像対象は空に限らない。高山植物、山の風景等を撮像し、撮像した映像を天気図と交互にあるいは同時に表示することにより、登山の楽しみを増大させることができる。
【００５５】
実施の形態１の電子機器では、通信部を介して、記録部の情報を直接他の情報機器へ転送する。しかし、記録部の情報は、メールの添付ファイルとして、他の情報機器へ転送されてもよい。そのためには、実施の形態１の電子機器にメーラーの機能を付加し、記録部の情報を添付したメールを、通信部を介して、所定のメールサーバーへ送信する。また、逆に電子機器は、他の電子機器の記録部の情報が添付されたメールを受信し、添付ファイルのデータを記録部に記録する。
メールにより記録部の情報を送受信する機能は、情報交換の機会を大幅に増大させるため、より多様な電子機器の利用形態を可能にする。
【００５６】
実施の形態１の電子機器では、日本列島付近の天気図を作成した。しかし、実施の形態１の電子機器が作成する天気図は、日本列島付近の天気図に限られるものではない。ＮＨＫ第２放送の気象通報と同様の気象番組が放送されている地域であれば、その放送言語に対応した音声認識技術を用いることにより、実施の形態１の電子機器は日本列島付近以外の地域の天気図も作成することができる。
【００５７】
実施の形態２
実施の形態２は、実施の形態１に係る電子機器１にＧＰＳ測位機能を付加した電子機器１に関する。実施の形態２に係る電子機器１は、登山ルートが描かれた地図に自分のいる位置及び天気図を重ねて描くことにより、登山のナビゲーション及び天気情報の提示を同時に行う。
【００５８】
図８は、実施の形態２に係る電子機器１の構成を示すブロック図である。実施の形態２に係る電子機器１は、実施の形態１に係る電子機器１の構成に、ＧＰＳ受信演算部２４及び登山地図記録部１２６が追加されている。登山地図記録部１２６は、記録部１２の中に設けられている。
【００５９】
ＧＰＳ受信演算部２４は、ＧＰＳ受信部及び演算部から構成されている。ＧＰＳ受信部は、４つ以上の人工衛星からの電波を受信する。演算部は、ＧＰＳ受信部が受信した電波に基づいて現在位置の緯度、経度を求める。
【００６０】
登山地図記録部１２６には、登山地図が記録されている。この登山地図は、世界全体又は日本全国の山岳地域をカバーするものでもよいが、記録部１２の記録容量温存のために、槍ヶ岳・穂高岳、八ヶ岳等、特定山岳地域の地図のみを記録又は削除することができる。登山地図には、登山コースの標準所要時間、お花畑、水場の位置等の他、地震時、積雪時等の危険箇所も示されている。
制御部１１は、登山地図記録部１２６の登山地図に、ＧＰＳ受信演算部２４が求めた現在位置と天気図記録部１２５の天気図とを重ね合わせて、表示部２０に表示する。
【００６１】
次に、実施の形態２に係る電子機器１の動作について説明する。
まず、電子機器１を動作させる準備として、予め登山へでかける前に通信部２２を介して、登山地図記録部１２６に、登山対象の山岳地域の登山地図を記録する。この記録はパーソナルコンピュータ等の情報機器を用いて行う。
【００６２】
気象通報の放送時刻になった場合、電子機器１は図６の手順に従って天気図を作成し、天気図記録部１２５に記録する。
【００６３】
ＧＰＳ受信演算部２４は現在位置を求めて、制御部１１に現在位置を出力する。制御部１１は、ＧＰＳ受信演算部２４から現在位置を受け付ける。制御部１１は、登山地図記録部１２６から登山地図を、天気図記録部１２５から最新の天気図を読み出す。制御部１１は、読み出した登山地図の上に、現在位置及び読み出した天気図を緯度経度が一致するように重ね合わせ、表示部２０に表示する。その際、制御部１１は、現在位置が表示部２０の中央に表示されるように調整する。
【００６４】
実施の形態２に係る電子機器１によれば、登山のナビゲーション機能及び気象情報の提供機能を同時に実現することができる。ナビゲーション機能としては、例えば現在位置の表示、前方及び後方ルートの情報提示、地震緊急速報を受信したときに危険箇所となる可能性の高い場所の通知等である。
登山ルート近傍で地震が発生し、前方ルートに落石等の危険箇所があることが判明した場合、そのことだけでは前に進むか、引き返すか、あるいは別のルートへ変更すべきかを判断しかねるときがある。しかし、実施の形態２に係る電子機器１は、登山ルートの情報に天気図の情報も加味して表示部２０に表示することにより、次の行動を判断するより多くの材料を登山者に提供することができる。
【００６５】
実施の形態２は以上の如き構成にしてあり、その他の構成及び作用は実施の形態１と同様であるので、対応する部分には同一の参照番号を付してその詳細な説明を省略する。
【００６６】
実施の形態１乃至２は、何れも本発明を実施するにあたっての具体化の一例を示したものに過ぎず、これによって本発明の技術的範囲が限定的に解釈されてはならないものである。すなわち、本発明はその精神又はその主要な特徴から逸脱することなく、様々な形で実施することができる。
【符号の説明】
【００６７】
１      電子機器
１１    制御部
１２    記録部
１２２  音声モデル記録部
１２３  気象データ記録部
１２４  テンプレート記録部
１２５  天気図記録部
１２６  登山地図記録部
１４    放送受信部
１５    Ａ／Ｄ変換部
１６    ノイズ除去部
１７    音声照合特定部
１８    気象情報抽出部
１９    天気図作成部
２０    表示部
２２    通信部
２３    タイマ
２４    ＧＰＳ受信演算部
【図１】
2011090160.tif 000003
【図２】
2011090160.tif 000004
【図３】
2011090160.tif 000005
【図４】
2011090160.tif 000006
【図５】
2011090160.tif 000007
【図６】
2011090160.tif 000008
【図７】
2011090160.tif 000009
【図８】
2011090160.tif 000010